(57)【要約】【課題】洗濯水の加熱運転コースにおいて、最適な水温にて洗濯行程を行うこと。【解決手段】複数の洗濯水の加熱運転コースを設定し、制御手段は洗濯水の加熱運転コースが選択された場合、その加熱運転コースにて予め設定した水温にて洗濯行程を行うように設定したものである。【選択図】図３
2007082652.tif 000002
【特許請求の範囲】
【請求項１】
開閉自在の蓋体を装着した開口部を有した洗濯機本体内に、水平方向または傾斜方向に回転軸を有する有底円筒状の回転ドラムと、前記回転ドラムを回転自在に内包する有底円筒状の水受け槽と、前記回転ドラムを回転駆動するモータと、前記水受け槽内の洗濯水を加熱する加熱手段と、洗濯水の設定温度を表示する加熱温度表示手段と、前記水受け槽内の洗濯水の温度を検知する温度検知手段と、複数の運転コースを設定する入力設定手段と、洗濯、すすぎ、脱水動作の行程を制御する制御手段とを備え、前記制御手段は、前記入力設定手段により洗濯水の加熱運転コースを選択した場合、その加熱運転コースにて予め設定した水温にて洗濯行程を行うようにしたドラム式洗濯機。
【請求項２】
制御手段は、入力設定手段により洗濯水の加熱運転コースを選択した場合、加熱表示手段にて温水の温度を表示せしめるように設定した請求項１記載のドラム式洗濯機。
【発明の詳細な説明】
【技術分野】
【０００１】
本発明は、水平方向または略傾斜方向に回転中心軸を有する回転ドラム内で、洗い、すすぎ、脱水を行うドラム式洗濯機に関するものである。
【背景技術】
【０００２】
従来、この種のドラム式洗濯機は、衣類の洗浄効果を高める為、あるいは衣類に付着した細菌類を死滅させる為、洗濯水を高温にする機能が付加されているのが一般的である（例えば、特許文献１参照）。
【０００３】
図５に示すように、回転ドラム１は、外周部に多数の通水孔２を全面に設け、外槽３内に回転自在に配設している。回転ドラム１の回転中心に回転軸４の一端を略水平方向に固定し、回転軸４の他端に従動プーリ５を固定している。第１のモータ６は、回転ドラム１を第１の回転数Ｎ１（例えば、５３ｒ／ｍｉｎ）で回転させて、洗濯またはすすぎをするものであり、第２のモータ７は、回転ドラム１を第２の回転数Ｎ２（例えば、１０００ｒ／ｍｉｎ）で回転させて脱水する。
【０００４】
これら第１のモータ６および第２のモータ７は、それぞれベルト８、９を介して従動プーリ５に連結している。従動プーリ５は、２種の減速比を有しており、第１のモータ６をベルト８を介して減速比が大きい従動プーリ５ａと連結し回転ドラムの低速回転を、第２のモータ７をベルト９を介して減速比が小さい従動プーリ５ｂと連結し回転ドラムの高速回転をそれぞれ行っている。
【０００５】
外槽３は、断面が回転軸４を中心とした略真円形状の外槽本体３ａと外槽本体３ａの開口部を覆う略円状の外槽前板３ｂとで構成して回転ドラム１を外包し、回転ドラム１と外槽３は、回転軸４と直行する方向の形状を回転軸４を中心として略同心円となるように構成し、底部側にヒータ１４を収容する略凹状の加熱体収容室１５を設けている。
【０００６】
この外槽３は、外箱１０よりばね体１１で揺動可能に吊り下げ、防振ダンパー１２により脱水起動時の振動が低減され、かつ定常脱水時の振動が外箱１０に伝達されないように防振支持するとともに、脱水時の振動を低減する重り１３を設けている。さらに外槽３底部には排水用のホース１６の一端を接続し、ホース１６の他端を排水ポンプ１７に接続して外槽３内の洗濯水を排水するようにしている。上記ヒータ１４の下方近傍には、温度検知装置１８と温度過昇防止装置１９を、外槽本体３ａの底部に固定している。
【０００７】
略筒状のパッキング部材２０は、ゴム等の可撓性材料で構成され回転ドラム１の前面開口部に対応する外槽３の開口部とボデー前面開口部との間を連結するもので、外槽側端部を外槽前板３ｂに固着している。ボデー前面開口部に蓋２１を開閉自在に設けている。給水弁２２は外槽３内に水を給水するものである。
【０００８】
制御装置２３は、第１のモータ６、第２のモータ７、ヒータ１４、排水ポンプ１７、給水弁２２などの動作を制御し、洗濯、すすぎ、脱水などの一連の行程を逐次制御する制御手段および入力手段、表示手段などで構成されている。
【０００９】
上記構成において動作を説明すると、蓋２１を開いて回転ドラム１内に洗濯物を投入し電源スイッチ（図示せず）をオンした後、制御装置２３に設けたスタートスイッチ（図示せず）を操作して運転を開始すると、給水弁２２が動作して給水し、水位検知手段（図示せず）により所定の水位を検知すると給水を停止し、第１のモータ６を駆動する。洗濯行程では、洗濯物に水が吸水されるため不足分を補給水しながら、回転ドラム１は第１のモータ６によって第１の回転数Ｎ１で低速回転駆動され、回転ドラム１内の洗濯物は持ち上げられて水面上に落下されるいわゆるたたき洗いを行う。
【００１０】
そのとき、高温洗濯を設定した場合、ヒータ１４に通電して、温度検知装置１８により温度を検知しつつ、外槽３内の洗濯水の温度を制御しながら、外槽内の洗濯水を加熱して温水洗濯を行う。
【００１１】
洗濯行程が終了すると、排水ポンプ１７が動作して外槽３内の洗濯水を排水する。すすぎ行程においても洗濯行程と同様のたたき洗い動作を行いながらすすぎを行う。
【００１２】
脱水行程では、回転ドラム１は第２のモータ７によって第２の回転数Ｎ２で高速回転駆動され、洗濯物は遠心脱水される。
【特許文献１】特開平１０−２６３２８５号公報
【発明の開示】
【発明が解決しようとする課題】
【００１３】
しかしながら前記従来の構成では、洗濯水を高温にする際その設定は洗濯機の使用者に任されることが通常であり、温水にする目的に応じてきめ細かい温度設定をすることは非常に困難であるという課題を有していた。また温度設定が正しくなされない場合、選択した温度が高温の為衣類を損傷したり、逆に加熱運転を選択したにもかかわらず水温が低く発揮すべき機能を果たさない、という課題もあった。また使用者は洗濯水温が正確に判らないため、特に高温設定の場合など洗濯中の衣類に触れた場合安全性にも課題があった。
【００１４】
本発明は、前記従来の課題を解決するもので、洗濯水の加熱運転コースにおいて最適な水温にて洗濯行程を確実に、かつ安全に行うことを目的としている。
【課題を解決するための手段】
【００１５】
前記従来の課題を解決する為に、本発明のドラム式洗濯機は、複数の洗濯水の加熱運転コースを設定し、その制御手段が前記入力手段により洗濯水の加熱運転コースを選択した場合、その温水洗浄コースに応じて予め設定した水温にて洗濯行程を行うようにしたものである。
【００１６】
これによって選択したコースに応じた最適な水温で洗濯行程を行うことができる為、水温の温度設定ミスにより、衣類を損傷したり、機能を発揮しないという従来課題が解決される。
【発明の効果】
【００１７】
本発明のドラム式洗濯機は、洗濯水の加熱運転コースにて、温度設定ミスのない、安心して使用できる洗濯機を提供ができるものである。
【発明を実施するための最良の形態】
【００１８】
第１の発明は、開閉自在の蓋体を装着した開口部を有した洗濯機本体内に、水平方向または傾斜方向に回転軸を有する有底円筒状の回転ドラムと、前記回転ドラムを回転自在に内包する有底円筒状の水受け槽と、前記回転ドラムを回転駆動するモータと、前記水受け槽内の洗濯水を加熱する加熱手段と、洗濯水の設定温度を表示する加熱温度表示手段と、前記水受け槽内の洗濯水の温度を検知する温度検知手段と、複数の運転コースを設定する入力設定手段と、洗濯、すすぎ、脱水動作の行程を制御する制御手段とを備え、前記制御手段は、前記入力設定手段により洗濯水の加熱運転コースを選択した場合、その加熱運転コースにて予め設定した水温にて洗濯行程を行うようにしたものである。
【００１９】
これにより最適な水温で洗濯行程を行うことができる為、衣類を損傷すること無く、各コースの機能を発揮するものである。
【００２０】
第２の発明は、上記第１の発明において、制御手段は、入力設定手段により洗濯水の加熱運転コースを選択した場合、加熱表示手段にて洗濯水の温度を表示せしめるように設定したものである。
【００２１】
これにより、使用者は自らが設定した運転コースの水温を知ることができる為、安心してそれぞれの機能の働きを確認できる。また使用者は運転中の洗濯水温を予め知ることができるため、特に高温運転の際には危険を事前に予知ができるものである。
【００２２】
以下、本発明の実施の形態について、図面を参照しながら説明する。なお、この実施の形態によって本発明が限定されるものではない。
【００２３】
（実施の形態１）
図１は、本発明の第１の実施の形態におけるドラム式洗濯機の縦断面図、図２は、同ドラム式洗濯機の一部ブロック化した制御回路図、図３は、同ドラム式洗濯機の入力設定手段及び表示手段の拡大正面図、図４は、同ドラム式洗濯機の加熱洗濯行程図である。
【００２４】
図１に示すように、回転ドラム２４は、有底円筒形に形成し外周部に多数の通水孔２５を全面に設け、水受け槽２６内に回転自在に配設している。回転ドラム２４の回転中心に略傾斜方向に回転軸（回転中心軸）２７を設け、回転ドラム２４の軸心方向を正面側から背面側に向けて下向きに傾斜させて配設している。水受け槽２６の外底面に取り付けたモータ２８の回転は、モータ２８の回転軸に固着した駆動プーリ５０と、回転軸２７の端部に固設した従動プーリ５１との間に張架したＶベルト５２により回転軸２７に伝達され、回転ドラム２４を正転、逆転方向に回転駆動せしめる。回転ドラム２４の内壁面に数個の突起板２９を設けて、衣類を回転方向に持ち上げ落下させるという撹拌動作、いわゆるたたき洗いを行う。
【００２５】
洗濯機本体３０の正面側の上向き傾斜面３０ａに設けた開口部３０ｂを蓋体３１により開閉自在に覆い、この蓋体３１を開くことにより、水受け槽２６の水受け槽衣類出入口２６ａおよび回転ドラム２４の回転ドラム衣類出入口２４ａを介して、回転ドラム２４内に洗濯物を出し入れできるようにしている。なお、蓋体３１は、運転動作中の使用者の安全性を保持するためフタロック４０を動作せしめて開かないようにすることが可能な構成を有する。
【００２６】
水受け槽２６は、洗濯機本体３０にばね３３やダンパー３４により揺動可能に吊り下げて防振支持されており、水受け槽２６の下部に排水経路３２の一端を接続し、排水経路３２の他端を排水弁３６に接続して水受け槽２６内の洗濯水を排水するようにしている。給水弁（給水手段）３７は洗剤投入ケース３５および給水経路３８を通して水受け槽２６内に水を給水するものである。水位検知手段３９は水受け槽２６内の水位を検知するものである。また、水受け槽２６の内底部に洗濯水を加熱するヒータ４１と洗濯水の温度を検知する温度検知手段４２を備え、回転ドラム２４内の洗濯物を温水洗浄する機能を有している。
【００２７】
なお、本実施の形態では、回転ドラム２４の回転中心に略傾斜方向に回転軸２７を設け、回転ドラム２４の軸心方向を正面側から背面側に向けて下向きに傾斜させて配設しているが、回転ドラム２４の回転中心に略水平方向に回転軸２７を設け、回転ドラム２４の軸心方向を略水平方向に配設してもよい。
【００２８】
制御装置４３は、図２の制御回路図に示すように構成しており、モータ２８、排水弁３６、給水弁３７、ヒータ（加熱手段）４１などの動作を制御し、洗濯、すすぎ、脱水の一連の行程を逐次制御するマイクロコンピュータからなる制御手段４４を有している。制御手段４４は、運転コース等を設定するための入力設定手段４５からの情報を入力して、その情報を基に表示手段４６で表示して使用者に知らせるとともに、入力設定手段４５により運転開始が設定されると、水受け槽２６内の水位を検知する水位検知手段３９等からのデータを入力して負荷駆動手段４７を介して、モータ２８、排水弁３６、給水弁３７、ヒータ（加熱手段）４１などの動作を制御し、洗濯運転を行う。
【００２９】
入力設定手段４５は、図３に示すように、洗い時間を設定する洗い時間設定スイッチ４５ａ、すすぎ回数を設定するすすぎ回数設定スイッチ４５ｂ、脱水時間を設定する脱水時間設定スイッチ４５ｃ、スタート・一時停止スイッチ４５ｅ、電源入りスイッチ４５ｆ、電源切りスイッチ４５ｇ、水位変更入力設定スイッチ４５ｈ、種々の洗いのコースを選択できるコース設定スイッチ４５ｄ、温水のコース運転設定スイッチ４５ｊ、等を有している。
【００３０】
表示手段４６は、同じく図３に示すように、洗い時間表示部４６ａ、すすぎ回数表示部４６ｂ、脱水時間表示部４６ｃ、上記の温水のコース設定スイッチ４５ｊで設定される例えば高温水で洗濯する「除菌コース」などを表示するコース設定表示部４６ｄ、水位表示部（水位表示手段）４６ｅ、残り時間表示部４６ｇ、並びに、温水の水温を表示する温度表示部（加熱表示手段）４６ｊ等を有している。
【００３１】
以上のように構成されたドラム式洗濯機の構成において、図３の入力設定及び表示手段の拡大正面図、及び図４の加熱洗濯行程図を参照にしながら動作、作用を説明する。
【００３２】
図３の温水コース運転設定スイッチ４５ｊを選択すれば、温水おまかせコース、除菌コース、においスッキリコース、おうちクリーニングコース、及び、毛布コース、の５つのコースを選択することができる。即ち温水コースボタン４５ｊを押すと温水おまかせコースの表示ランプが点灯する。次にもう一度押すと除菌コースの表示ランプが点灯し、さらにもう一度押すとにおいスッキリコースの表示ランプが点灯し、次におうちクリーニングコース表示ランプ、さらに毛布コース表示ランプ、と５個のコースの表示ランプが順次切り替わって点灯する。
【００３３】
コース選択後、スタート・一時停止スイッチ４５ｅを操作すれば、設定されたコースの運転が開始され、かつ洗濯水の水温が、各コースにより予め設定されている温度に制御される。
【００３４】
使用者が例えば除菌コースを選択すると、図４の加熱洗濯行程図に示すように水温は約６０℃になるように水温制御され、雑菌等の排除を行う。
【００３５】
においスッキリコースを選択すると、約４０℃に水温制御され、衣類に付着した食品やアンモニア類の臭いを除去する。
【００３６】
おうちクリーニングコースは、回転ドラムを回転させるのではなく揺り動かしながら衣類の上方から散水を繰り返すことにより洗濯を行うものであり、機械力を与えると傷みやすいデリケートな衣類を洗濯する場合で、この場合は約３０℃に水温制御する。
【００３７】
毛布コースを選択した場合は、水温は臭いスッキリコースと同等の水温４０℃に制御され、毛布に含まれた汗類等の除去を円滑になさしめる。
【００３８】
温水おまかせコースは、冬季に水温が低い場合等に、洗濯水を洗剤が活性化する水温まで高めて洗浄効果を高めるものであって、この場合の設定温度は３０℃とする。
【００３９】
以上のように、本実施の形態において温水洗濯コースを複数個設定し、使用者がコースの選択をすることにより、そのコースに最適の水温が設定されるもので、使用者が温度の設定をすることが不要となり使い勝手の良好なドラム式洗濯機を提供する。
【００４０】
また、温度設定のミスによる不必要な高温設定にて衣類の損傷をするといった不具合も解消される。
【００４１】
また、温度表示部４６ｊは６０℃、４０℃、３０℃の３段階の水温表示ができるように、３個の発光ダイオード（ＬＥＤ）等からなるランプで構成される加熱表示手段である。
【００４２】
温水のコース運転切り替えスイッチ４５ｊにて各コースを選択した場合、温度表示部４６ｊにて、制御手段は水温の表示を行うように設定している。例えば、除菌コースを選択した場合には、温度表示部４６ｊは６０℃のランプが点灯をする。また、においスッキリコースでは４０℃のランプが、おうちクリーニングコースでは３０℃のランプが、毛布コースでは４０℃のランプが、温水おまかせコースでは３０℃のランプがそれぞれ点灯し、使用者に運転コースの洗濯水の水温を確実に認識することができる設定としている。
【００４３】
以上のように、温水のコース運転切り替えスイッチ４５ｊにて各コースを選択した場合、温度表示部４６ｊにて、そのコースに対応した水温の表示を行うように設定しているので、各コースの設定水温を加熱表示手段にて使用者に判らしめることができる。
【産業上の利用可能性】
【００４４】
以上のように、本発明にかかるドラム式洗濯機は、洗濯水を加熱し洗濯する複数の運転コースを設定し、それぞれのコースに最適な洗濯水の水温を予め設定しているので、温度設定のミスのない、使い勝手の良いドラム式洗濯機として有用である。
【図面の簡単な説明】
【００４５】
【図１】本発明の実施の形態１におけるドラム式洗濯機の縦断面図
【図２】同ドラム式洗濯機のブロック制御回路図
【図３】同ドラム式洗濯機の入力設定手段及び表示手段の拡大正面図
【図４】同ドラム式洗濯機の加熱洗濯行程図
【図５】従来の洗濯乾燥機の断面図
【符号の説明】
【００４６】
２４  回転ドラム
２６  水受け槽
２８  モータ
３０  洗濯機本体
４１  ヒータ（加熱手段）
４５  入力設定手段
４５ｊ  温水コース運転設定スイッチ
４６  表示手段
４６ｄ  コース設定表示部
４６ｊ  温度表示部（加熱表示手段）
【図１】
2007082652.tif 000003
【図２】
2007082652.tif 000004
【図３】
2007082652.tif 000005
【図４】
2007082652.tif 000006
【図５】
2007082652.tif 000007